(57)【要約】【課題】電磁コイルの付勢時に制動ばねの押圧力に抗して電磁枠に吸引したディスクと制動板との間に確実に空隙が形成される電磁ブレーキ装置を得る。【解決手段】フレーム７に電磁枠８を設け、フレーム７に設けた回転軸２に制動板１１を回転方向に変位不能に係合し、また電磁枠８にディスク１５を回転方向に変位不能に係合し制動板１１に対面して配置する。また、制動板１１及びディスク１５の両者を相互に接近方向に付勢する制動ばね１０を設け、またディスク１５を制動ばね１０の付勢力に抗して制動板１１から離れる方向に吸引する電磁コイル９を設ける。さらに、上記両者の一方に第一種磁石片２０を装着し、上記両者の他方に第二種磁石片２１を装着して、第一種磁石片２０に対して同極を互いに対向して配置し相互の反発力によって上記両者間に空隙を形成する。【選択図】        図２
2004293742.tif 000002
【特許請求の範囲】
【請求項１】
フレームに枢着されて回転動作する回転軸、上記フレームに設けられた電磁枠と、上記回転軸に係合されて上記回転軸の回転方向変位が規制された制動板と、上記電磁枠に対して上記回転軸の長手方向に変位自在に係合されて上記回転軸の回転方向変位が規制され上記制動板に対面して配置されたディスクと、上記制動板及びディスクの両者を相対的に接近する方向に付勢する制動ばねと、上記電磁枠に設けられ付勢されて上記ディスクを上記制動ばねの付勢力に抗して上記制動板から離れる方向に吸引する電磁コイルと、上記両者の一方に装着された第一種磁石片と、上記両者の他方に装着されて上記第一種磁石片と対面して配置され、かつ上記第一種磁石片に対して同極が互いに対向して配置された第二種磁石片とを備えた電磁ブレーキ装置。
【発明の詳細な説明】
【０００１】
【発明の属する技術分野】
この発明は、ディスクブレーキからなりエスカレーター、エレベーター等の駆動装置に設けられる電磁ブレーキ装置に関する。
【０００２】
【従来の技術】
従来の電磁ブレーキ装置においては、エスカレーター等の駆動機又は巻上機のフレームに枢着され鎖歯車等の駆動手段が設けられて回転動作する回転軸が設けられる。また、例えば駆動機のフレームに電磁コイルを装備した電磁枠が設けられる。そして、駆動機の回転軸に係合されて回転軸の回転方向変位が規制された制動板が設けられ、また電磁枠に固定ディスクが支持子を介して支持されて制動板の反電磁枠側に配置される。
【０００３】
そして可動ディスクが、電磁枠に係合されて駆動機の回転軸の回転方向変位が規制され、回転軸の軸線方向には変位自在に配置されて、制動板の電磁枠側に配置される。そして、可動ディスクは電磁枠に設けられた制動ばねによって制動板方向に押圧され、また付勢された電磁コイルによって制動ばねの押圧力に抗して吸引されるように構成されている。
【０００４】
従来の電磁ブレーキ装置は上記のように構成され、駆動機の消勢時に電磁コイルも消勢される。これにより、制動ばねによって可動ディスクが制動板に押圧されると共に、可動ディスクに押圧された制動板が固定ディスクを押圧する。この状態で制動板と制動板の両側に配置された可動ディスク及び固定ディスクとの間の摩擦によって、制動板の回転が拘束されて駆動機の駆動手段が制動される。
【０００５】
そして、駆動機が付勢されると電磁コイルも付勢されて、制動ばねによる押圧力に抗して可動ディスクが電磁枠に吸引される。これによって、制動板の両側に配置された可動ディスク及び固定ディスクによる制動板の押圧力が消失して制動が解除される。この状態で駆動機の駆動手段が動作してエスカレーター等が運転される。（例えば、特許文献１参照）。
【０００６】
【特許文献１】
特開平５−２５６３３２号公報（第２頁、図１）
【０００７】
【発明が解決しようとする課題】
従来の電磁ブレーキ装置では、駆動機等が動作するときに、電磁コイルが付勢されて制動ばねによる押圧力に抗して可動ディスクが電磁枠に吸引されるものの、制動板に可動ディスク又は固定ディスクが接触した状態となる場合がある。このときには、制動板と可動ディスク等の間に摺擦音が発生して騒音のために静穏の妨げになったり、制動板、可動ディスク等に異常損耗が発生したりするという問題点があった。
【０００８】
この発明は、かかる問題点を解消するためになされたものであり、電磁コイルの付勢時に制動ばねの押圧力に抗して電磁枠に吸引された制動板とディスクとの間に確実に空隙が形成される電磁ブレーキ装置を得ることを目的とする。
【０００９】
【課題を解決するための手段】
この発明に係る電磁ブレーキ装置においては、フレームに枢着されて回転動作する回転軸、この回転軸に係合されて回転軸の回転方向変位が規制された制動板と、フレームに設けられた電磁枠と、回転軸の長手方向に変位自在に電磁枠に係合されて回転軸の回転方向変位が規制され、制動板に対面して配置されたディスクと、制動板及びディスクの両者を相対的に接近する方向に付勢する制動ばねと、電磁枠に設けられ付勢されてディスクを制動ばねの付勢力に抗して制動板から離れる方向に吸引する電磁コイルと、上記両者の一方に装着された第一種磁石片と、上記両者の他方に装着されて第一種磁石片と対面して配置され、かつ第一種磁石片に対し同極が互いに対向して配置された第二種磁石片とが設けられる。
【００１０】
【発明の実施の形態】
実施の形態１．
図１〜図５は、この発明の実施の形態の一例を示す図で、図１はエスカレーターに設けられる駆動機の平面図、図２は図１の電磁ブレーキ装置の拡大横断面図、図３は図２のＡ部拡大図、図４は図３における環状支持板の正面図、図５は図３における制動板の要部を拡大して示す斜視図である。図において、減速機構を要部とするエスカレーターの駆動機１に、減速機構の入力軸からなる回転軸２が設けられて回転軸２の一端に巻掛伝動機構３を介して電動機４が連結される。
【００１１】
そして、駆動機１の出力軸に鎖歯車からなる駆動手段５が設けられ、また駆動機１の回転軸２の他端側に次ぎに述べる電磁ブレーキ装置６が設けられる。すなわち、電磁ブレーキ装置６は駆動機１のフレーム７に、回転軸２が挿通された電磁枠８が設けられ、また電磁枠８に電磁コイル９及び制動ばね１０が設けられる。また、回転軸２の他端側におけるスプライン軸形態の軸端に、制動板１１が回転軸２の軸線方向に変位自在に嵌合され、両面にそれぞれ制動部１２が環状に突設される。
【００１２】
また、電磁枠８に突設されたピンからなる支持子１３の突出端に固定された固定ディスク１４が制動板１１の反電磁枠８側に配置され、また可動ディスク１５が電磁枠８と制動板１１の間に設けられて、周縁部が支持子１３に回転軸２の軸線方向に変位自在に嵌合される。そして、制動板１１と固定ディスク１４の間に環状支持板１６が配置されて、外周縁部に固定ディスク１４側から取付ボルト１７が挿通されて可動ディスク１５にねじ込まれる。
【００１３】
そして、取付ボルト１７に挟圧ナット１８がねじ込まれて取付ボルト１７の頭部とによって環状支持板１６を挟圧し、環状支持板１６が取付ボルト１７に締結される。また、取付ボルト１７に取付ナット１９がねじ込まれて可動ディスク１５を押圧し、取付ボルト１７を介して環状支持板１６を可動ディスク１５に対する所定位置に締結する。
【００１４】
また、制動板１１の両面にそれぞれ第一種磁石片２０が装着されて、図５に示すように互いに隣接して環状に配置される。そして、可動ディスク１５及び環状支持板１６のそれぞれに第二種磁石片２１が装着されて、第一種磁石片２０と対面して環状に配置され、かつ第一種磁石片２０に対して同極が互いに対向して配置される。
【００１５】
上記のように構成された電磁ブレーキ装置において、駆動機１の消勢時に電磁コイル９も消勢される。これにより、制動ばね１０によって可動ディスク１５が制動板１１に押圧されると共に、可動ディスク１５に押圧された制動板１１が固定ディスク１４を押圧する。この状態で制動板１１と制動板１１の両側に配置された可動ディスク１５及び固定ディスク１４との間の摩擦によって制動板１１の回転が拘束されて、駆動機１の駆動手段５が制動される。
【００１６】
そして、駆動機１が付勢されると電磁コイル９も付勢されて、制動ばね１０による押圧力に抗して可動ディスク１５が電磁枠８に吸引される。これによって、制動板１１の両側に配置された可動ディスク１５及び固定ディスク１４による制動板１１の押圧力が消失して制動が解除される。この状態で駆動機１の駆動手段５が動作してエスカレーターが運転される。
【００１７】
また、電磁コイル９が付勢されて可動ディスク１５が電磁枠８に吸引されたときに、第一種磁石片２０及び第二種磁石片２１の双者がそれぞれ同極を互いに対向させて配置されているので上記双者が互いに反発する。このため、電磁コイル９が付勢されたときに制動板１１と可動ディスク１５又は固定ディスク１４との間に空隙が確実に形成されて、制動板１１と可動ディスク１５又は固定ディスク１４とが互いに接触した状態となることがない。
【００１８】
したがって、電磁コイル９が付勢されて可動ディスク１５が電磁枠８に吸引されたときに、制動板１１と可動ディスク１５又は固定ディスク１４とが接触して摺擦音が発生したり、制動板と可動ディスク等に異常損耗が発生したりすることを未然に防止することができる。このため、駆動機１の付勢時に駆動機１の設置環境を静粛化でき、また制動板１１、可動ディスク１５等に異常損耗が生じることがなく保守費を低減することができる。
【００１９】
実施の形態２．
図６及び図７は、この発明の他の実施の形態の一例を示す図で、図６はエレベーターの巻上機からなる駆動機の縦断面図、図７は図６のＢ部拡大図である。図において、前述の図１〜図５と同符号は相当部分を示し、エレベーターの巻上機からなる駆動機１のフレーム７に回転軸２が枢着され、またフレーム７にモータハウジング２２が形成されてモータハウジング２２にモータ電磁石２３が設けられる。
【００２０】
そして、回転軸２と一体に駆動綱車からなる駆動手段５が設けられ、また駆動手段５の周縁部にモータ電磁石２３に対向して永久磁石２４が設けられて、モータ電磁石２３及び永久磁石２４によって電動機が形成される。また、フレーム７に電磁ブレーキ装置６が設けられる。すなわち、電磁ブレーキ装置６は駆動機１のフレーム７に電磁枠８が設けられて回転軸２が挿通され、また電磁枠８に電磁コイル９及び制動ばね１０が設けられる。
【００２１】
また、回転軸２のスプライン軸部に制動板１１が回転軸２の軸線方向に変位自在に嵌合され、両面にそれぞれ環状をなす制動部１２が突設される。また、電磁枠８に突設されたピンからなる支持子１３の突出端に固定された固定ディスク１４が制動板１１の反電磁枠８側に配置され、また可動ディスク１５が電磁枠８と制動板１１の間に設けられて周縁部が支持子１３に回転軸２の軸線方向に変位自在に嵌合される。
【００２２】
そして、制動板１１の両面にそれぞれ第一種磁石片２０が装着されて、互いに隣接して環状に配置される。また、固定ディスク１４及び可動ディスク１５のそれぞれに第二種磁石片２１が装着されて、第一種磁石片２０と対面して環状に配置され、かつ第一種磁石片２０に対して同極が互いに対向して配置される。
【００２３】
上記のように構成された電磁ブレーキ装置においても、駆動機１が付勢されると電磁コイル９も付勢されて、制動ばね１０による押圧力に抗して可動ディスク１５が電磁枠８に吸引される。これによって、制動板１１の両側に配置された可動ディスク１５及び固定ディスク１４による制動板１１の押圧力が消失して制動が解除される。
【００２４】
この状態で駆動機１の電動機が回転し駆動手段５が動作してエレベーターが運転される。また、電磁コイル９が付勢されて可動ディスク１５が電磁枠８に吸引されたときに、第一種磁石片２０及び第二種磁石片２１の双者がそれぞれ同極を互いに対向させて配置されているので上記双者が互いに反発する。
【００２５】
このため、電磁コイル９が付勢されたときに制動板１１と可動ディスク１５又は固定ディスク１４との間に空隙が確実に形成されて、制動板１１と可動ディスク１５又は固定ディスク１４とが互いに接触した状態となることがない。したがって、詳細な説明を省略するが図６及び図７の実施の形態においても図１〜図５の実施の形態と同様な作用が得られる。
【００２６】
【発明の効果】
この発明は以上説明したように、フレームに枢着されて回転動作する回転軸、この回転軸に係合されて回転軸の回転方向変位が規制された制動板と、フレームに設けられた電磁枠と、回転軸の長手方向に変位自在に電磁枠に係合され、回転軸の回転方向変位が規制されて制動板に対面して配置されたディスクと、制動板及びディスクの両者を相対的に接近する方向に付勢する制動ばねと、電磁枠に設けられ付勢されてディスクを制動ばねの付勢力に抗して制動板から離れる方向に吸引する電磁コイルと、上記両者の一方に装着された第一種磁石片と、上記両者の他方に装着されて第一種磁石片と対面して配置され、かつ第一種磁石片に対して同極が互いに対向して配置された第二種磁石片とを設けたものである。
【００２７】
これによって、電磁コイルが付勢されて制動ばねの付勢力に抗してディスクが電磁枠に吸引されたときに、第一種磁石片及び第二種磁石片の双者がそれぞれ同極を互いに対向させて配置されているので上記双者が互いに反発する。このため、電磁コイルが付勢されたときに制動板とディスクの両者の間に空隙が確実に形成されて上記両者が互いに接触した状態となることがない。したがって、電磁コイルが付勢されてディスクが電磁枠に吸引されたときに、制動板とディスクとが接触して摺擦音が発生したり、制動板、ディスクに異常損耗が発生したりすることを未然に防止することができる。このため、電磁ブレーキ装置が設けられた駆動機の付勢時に駆動機の設置環境を静粛化する効果があり、また制動板、ディスクが異常損耗することがなく保守費を低減する効果がある。
【図面の簡単な説明】
【図１】この発明の実施の形態１を示す図で、エスカレーターに設けられる駆動機の平面図。
【図２】図１の電磁ブレーキ装置の拡大横断面図。
【図３】図２のＡ部拡大図。
【図４】図３における環状支持板の正面図。
【図５】図３における制動板の要部を拡大して示す斜視図。
【図６】この発明の実施の形態２を示す図で、エレベーターの巻上機からなる駆動機の縦断面図。
【図７】図６のＢ部拡大図。
【符号の説明】
２  回転軸、７  フレーム、８  電磁枠、９  電磁コイル、１０  制動ばね、１１  制動板、１５  可動ディスク（ディスク）、２０  第一種磁石片、２１
第二種磁石片。
【図１】
2004293742.tif 000003
【図２】
2004293742.tif 000004
【図３】
2004293742.tif 000005
【図４】
2004293742.tif 000006
【図５】
2004293742.tif 000007
【図６】
2004293742.tif 000008
【図７】
2004293742.tif 000009